(57)【要約】【課題】ボールプランジャ機構を備えながらも、組付けが容易な遊技盤固定用のストッパ機構及びその組付け方法を提供する。【解決手段】遊技盤１０の端部と係合する回転ストッパ部材２を、支持軸３により遊技枠１に回転可能に取り付けた遊技盤固定用のストッパ機構の組付け方法である。まず、回転ストッパ部材２を支持軸３によって遊技枠１に回転可能に取り付けたうえ、この遊技枠１を下向きとして水平に設置する。次に回転ストッパ部材２の有底筒状部４を遊技枠１の後面に形成された挿入筒２０と一致させて、有底筒状部４にスプリング６とボール５とを上方から挿入し、治具２２によってボール５を押し込みながらボール５が遊技枠１の前面に接触する位置まで回転ストッパ部材２を回転させる。【選択図】図８
2013056140.tif 000002
【特許請求の範囲】
【請求項１】
遊技盤の端部と係合する回転ストッパ部材を、支持軸により遊技枠に回転可能に取り付けた遊技盤固定用のストッパ機構であって、
回転ストッパ部材は一方の端部にボールとスプリングとが収納された有底筒状部を備え、
遊技枠の前面にはこのボールを嵌合させて回転ストッパ部材を所定位置に保持する凹部を形成し、
遊技枠の後面には前記有底筒状部にスプリングとボールとを挿入するための挿入筒を形成したことを特徴とする遊技盤固定用のストッパ機構。
【請求項２】
遊技枠の前面に、回転ストッパ部材の回転角度規制用のねじを設けたことを特徴とする請求項１記載の遊技盤固定用のストッパ機構。
【請求項３】
有底筒状部の底部表面に、回転ストッパ部材の回転方向を示す矢印図柄を形成するとともに、この回転ストッパ部材の取り付け面には、前記有底筒状部の回動軌跡を示す円弧図柄と、この円弧図柄の両端部に前記有底筒状部の底部形状よりも小さな矢印図柄を形成し、前記有底筒状部を円弧図柄のいずれか一方の端部に位置させた場合に、一方の矢印は有底筒状部の底部により隠蔽されて他方の矢印のみが表示されるようにしたことを特徴とする請求項１または２に記載の遊技盤固定用のストッパ機構。
【請求項４】
請求項１に記載の遊技盤固定用のストッパ機構の組付け方法であって、
回転ストッパ部材を支持軸によって遊技枠に回転可能に取り付けたうえ、この遊技枠を下向きとして水平に設置し、回転ストッパ部材の有底筒状部を遊技枠の後面に形成された挿入筒と一致させて、有底筒状部にスプリングとボールとを上方から挿入し、治具によってボールを押し込みながらボールが遊技枠の前面に接触する位置まで回転ストッパ部材を回転させることを特徴とする遊技盤固定用のストッパ機構の組付け方法。
【発明の詳細な説明】
【技術分野】
【０００１】
本発明は、パチンコ機の遊技盤を遊技枠に固定するための遊技盤固定用のストッパ機構及びその組付け方法に関するものである。
【背景技術】
【０００２】
パチンコ機の遊技盤は容易に交換することができるように、遊技枠に対して着脱可能な構造が採用されている。その一例は特許文献１に示されるように、遊技枠の片側に遊技盤の一方の端部が挿入される保持部を形成するとともに、遊技枠の反対側に遊技盤の他方の端部を押えるストッパを配置した構造である。
【０００３】
特許文献１のストッパは回転型であり、遊技盤を遊技枠内に挿入したうえで回転させることにより遊技盤の端部を押さえて遊技枠に固定する機能を有する。しかしこのように単に回転可能としたストッパは、振動その他の原因により回転して外れてしまい、遊技枠から遊技盤が浮き上がるトラブルを招く可能性があった。
【０００４】
そこで本発明者等は、ストッパにボールプランジャ機能を持たせ、ストッパを所定位置に保持することができるようにしたストッパ機構を開発中である。その構造は図１、図２に示すように、遊技枠１に回転ストッパ部材２を支持軸３によって回転可能に取り付けたものである。回転ストッパ部材２は一方の端部に有底筒状部４を備え、その内部にボール５とスプリング６とからなるボールプランジャ機構が収納されている。遊技枠１の前面にはボール５が嵌合する凹部７が形成されており、回転ストッパ部材２を図１に示す固定位置に保持し、ストッパが不用意に外れることを防止することができる。この状態では、回転ストッパ部材２の他端の突部９が遊技盤１０の表面を確実に押さえることとなる。
【０００５】
ところがこの図２の構造のストッパ機構は、組付けに熟練を要する。すなわち、組付けに当たっては図３のように遊技枠１を水平に置き、先ず凹部７にボール５を載せ、回転ストッパ部材２の支持軸３を遊技枠１の孔８に浅く挿入する。この状態で回転ストッパ部材２の有底筒状部４内にスプリング６を挿入し、スプリング６がボール５の直上から外れないように注意しながら支持軸３を深く孔８内に押し下げ、最後にナット１１を支持軸３の先端に螺合させるという手順を取る。
【０００６】
しかし上記の作業中にボール５がスプリング６の下端から外れ易く、組付けに熟練を要するという問題があった。また図４に示すように、組付け後に遊技枠１に遊技盤１０がない状態において誤って回転ストッパ部材２を回転させると、スプリング６とともにボール５が有底筒状部４から飛び出してしまい、ボールプランジャの機能が失われるという問題があった。
【先行技術文献】
【特許文献】
【０００７】
【特許文献１】特開２００１−３２７７１７号公報
【発明の概要】
【発明が解決しようとする課題】
【０００８】
従って本発明の主な目的は上記した従来の問題点を解決し、ボールプランジャ機構を備えながらも、組付けが容易な遊技盤固定用のストッパ機構及びその組付け方法を提供することである。また本発明の他の目的は、組付け後にボールプランジャの機能が失われるトラブルを防止することができ、更には回転ストッパ部材の回転操作を正しく行うことができる遊技盤固定用のストッパ機構及びその組付け方法を提供することである。
【課題を解決するための手段】
【０００９】
上記の課題を解決するためになされた本発明の遊技盤固定用のストッパ機構は、遊技盤の端部と係合する回転ストッパ部材を、支持軸により遊技枠に回転可能に取り付けた遊技盤固定用のストッパ機構であって、回転ストッパ部材は一方の端部にボールとスプリングとが収納された有底筒状部を備え、遊技枠の前面にはこのボールを嵌合させて回転ストッパ部材を所定位置に保持する凹部を形成し、遊技枠の後面には前記有底筒状部にスプリングとボールとを挿入するための挿入筒を形成したことを特徴とするものである。
【００１０】
なお請求項２のように、遊技枠の前面に、回転ストッパ部材の回転角度規制用のねじを設けた構造とすることが好ましい。
【００１１】
更に請求項３のように、有底筒状部の底部表面に、回転ストッパ部材の回転方向を示す矢印図柄を形成するとともに、この回転ストッパ部材の取り付け面には、前記有底筒状部の回動軌跡を示す円弧図柄と、この円弧図柄の両端部に前記有底筒状部の底部形状よりも小さな矢印図柄を形成し、前記有底筒状部を円弧図柄のいずれか一方の端部に位置させた場合に、一方の矢印は有底筒状部の底部により隠蔽されて他方の矢印のみが表示されるようにすることが好ましい。
【００１２】
また本発明の遊技盤固定用のストッパ機構の組付け方法は、回転ストッパ部材を支持軸によって遊技枠に回転可能に取り付けたうえ、この遊技枠を下向きとして水平に設置し、回転ストッパ部材の有底筒状部を遊技枠の後面に形成された挿入筒と一致させて、有底筒状部にスプリングとボールとを上方から挿入し、治具によってボールを押し込みながらボールが遊技枠の前面に接触する位置まで回転ストッパ部材を回転させることを特徴とするものである。
【発明の効果】
【００１３】
本発明の遊技盤固定用のストッパ機構は、回転ストッパ部材を所定位置に保持するためのボールプランジャ機構を備えたものであるため、回転ストッパ部材が不用意に回転してしまうことを防止することができる。しかもスプリングとボールを遊技枠の後面に形成された挿入筒を通じて、回転ストッパ部材の有底筒状部に上方から挿入することができるので組付けが容易であり、熟練者でなくても組付け作業を行うことができる。
【００１４】
また請求項２のように遊技枠の前面に、回転ストッパ部材の回転角度規制用のねじを設けた構造としておけば、回転ストッパ部材の有底筒状部が遊技枠から外れることがなく、組付け後にスプリングとボールが有底筒状部から飛び出して、ボールプランジャの機能が失われるトラブルを防止することができる。
【００１５】
更に請求項３のように、有底筒状部の底部表面に、回転ストッパ部材の回転方向を示す矢印図柄を形成するとともに、この回転ストッパ部材の取り付け面には、前記有底筒状部の回動軌跡を示す円弧図柄と、この円弧図柄の両端部に前記有底筒状部の底部形状よりも小さな矢印図柄を形成し、前記有底筒状部を円弧図柄のいずれか一方の端部に位置させた場合に、一方の矢印は有底筒状部の底部により隠蔽されて他方の矢印のみが表示されるようにした場合は、常に回転ストッパ部材の次の回動方向が表示されるので、それを指標に操作すれば回転ストッパ部材を正しい方向に回転することができる。
【図面の簡単な説明】
【００１６】
【図１】ボールプランジャ機能を持たせたストッパ機構の正面図である。
【図２】図１の要部の断面斜視図である。
【図３】組付け途中の状態を説明する斜視図である。
【図４】ボールが脱落する状態を説明する斜視図である。
【図５】本発明のストッパ機構の正面図である。
【図６】本発明のストッパ機構の組み付け工程を示す断面斜視図である。
【図７】ボールを挿入する状態を示す断面斜視図である。
【図８】治具を示す断面斜視図である。
【図９】治具によりボールを押さえた状態を示す断面斜視図である。
【図１０】回転ストッパ部材を回転させた状態を示す正面図である。
【図１１】回転角度規制用のねじを取り付けた状態を示す正面図である。
【図１２】回転角度規制状態を示す正面図である。
【図１３】その他の実施態様を示す回転ストッパ部材の平面図である。
【図１４】その他の実施態様を示す回転ストッパ部材の取り付け面の平面図である。
【図１５】その他の実施態様を示すストッパ機構の正面図である。
【図１６】図１５の回転ストッパ部材の回動工程を示す正面図である。
【図１７】図１５の回転ストッパ部材の回動工程を示す正面図である。
【図１８】図１５の回転ストッパ部材の回動工程を示す正面図である。
【発明を実施するための形態】
【００１７】
以下に図５以下の図面を参照しつつ、本発明の実施形態を説明する。
図５は本発明のストッパ機構の正面図、図６はその要部の断面斜視図である。これらの図において、１はパチンコ機の遊技枠、１２はこの遊技枠１に取り付けられる遊技盤１０の裏面を支持する支持部であり、遊技枠１の端部付近に回転ストッパ部材２が支持軸３によって回転可能に取り付けられている。この回転ストッパ部材２は一方の端部に有底筒状部４を備え、他方の端部に遊技盤１０を押えるための突起９を備えている。また有底筒状部４の内部に、ボール５とスプリング６とからなるボールプランジャ機構が収納されていることも、前述の図１、図２の構造と同様である。しかし組付けを容易にするため、本発明では遊技枠１の後面に、有底筒状部４にスプリング６とボール５とを挿入するための挿入筒２０を形成してある。
【００１８】
この挿入筒２０は、図６に示すように有底筒状部４と内径が同一であり、かつ支持軸３を中心として回転ストッパ部材２を回転させたときに、有底筒状部４と一致する位置に形成されている。また図６に示されるように、挿入筒２０の近傍にはねじ孔２１が形成されている。
【００１９】
次に本発明の遊技盤固定用のストッパ機構の組付け方法を説明する。
先ず遊技枠１の孔８に支持軸３を挿入してその先端にナット１１を螺合させ、遊技枠１の表面側に回転ストッパ部材２のみを回転自在に取付ける。その後、図６のように遊技枠１を表裏反転させて下向きとし、水平に設置する。さらに回転ストッパ部材２を回転させ、その有底筒状部４を挿入筒２０と一致させた状態として、図６のように挿入筒２０からスプリング６を有底筒状部４の内部に挿入する。
【００２０】
次に図７のように挿入筒２０から有底筒状部４内にボール５を挿入する。この状態ではスプリング６は有底筒状部４から挿入筒２０の内部にまで伸びているが、挿入筒２０の長さを適切に設定することにより、ボール５も挿入筒２０内に保持されるようにしておくことが好ましい。
【００２１】
次に図８のように、挿入筒２０の内径よりも小さい外径の先端部２３を持つ治具２２により、ボール５を有底筒状部４内に押し込む。先端部２３の長さを挿入筒２０の長さと一致させておけば、図９のようにボール５の上面が遊技枠１の表面と一致する位置までボール５を押し込むことができる。この状態で回転ストッパ部材２を回転させれば、ボール５を遊技枠１の表面に乗移らせることができる。
【００２２】
この状態から更に図１０のように回転ストッパ部材２を回転させると、ねじ孔２１が現れてくる。そこで図１１のようにこのねじ孔２１にねじ２４をねじ込むと、回転ストッパ部材２の回転可能角度を、遊技盤１０のストッパとして機能させるに必要かつ十分な角度、例えば９０°に制限することができる。このため、ボール５及びスプリング６が収納された有底筒状部４が遊技枠１の表面を超えて外側に移動することがなくなり、人為的なエラーによって有底筒状部４からボール５及びスプリング６が飛出し、ボールプランジャ機能が損なわれることがない。なお、遊技盤１０の取り付け後はボール５を凹部７に嵌合させて回転ストッパ部材２を固定位置に保持し、ストッパが不用意に外れることを防止することができる。
【００２３】
なお、回転ストッパ部材２は支持軸３を中心に時計回り方向・反時計回り方向のいずれにも回転できるため、どちらの方向に回動するか瞬時には判断しにくいという問題があった。
そこで、図１３に示すように、有底筒状部４の底部表面に、回転ストッパ部材２の回転方向を示す矢印図柄２５を形成し、一方、図１４に示すように、この回転ストッパ部材２の取り付け面には、前記有底筒状部４の回動軌跡を示す円弧図柄２６と、この円弧図柄の両端部に矢印図柄２７ａ、２７ｂを形成して、操作性を向上させるようにした。なお、前記図柄は各部材の表面に印刷、シール貼付、刻印などいずれの方法によってもよい。
【００２４】
このような回転ストッパ部材２を遊技枠１に組み付けた状態を図１５に示す。
前記矢印図柄２７ａ、２７ｂは有底筒状部４の底部形状よりも小さな矢印図柄に形成されており、前記有底筒状部４を円弧図柄２６のいずれか一方の端部に位置させた場合（即ち、回転ストッパ部材２を開位置、あるいは閉位置とした場合）に、一方の矢印は有底筒状部４の底部により隠蔽されて他方の矢印のみが表示された状態となるように構成されている。これにより、回転ストッパ部材２の取り付け面には常に回転ストッパ部材２の次の回動方向が表示されこととなり、この矢印を指標に操作すれば回転ストッパ部材２を正しい方向に回転させることができ、この結果、遊技枠に対する遊技盤の着脱作業を正確かつ短時間で行うことが可能となる。なお、前記矢印の隠蔽は図形の意図がわからない程度に隠蔽されていればよく、完全に隠蔽すればより好ましい。
【００２５】
以下に、回転ストッパ部材２の具体的な回動操作につき説明する。
図１６は、回転ストッパ部材２が開位置にある状態を示している。この状態では、突部９は遊技枠１側に引っ込んだ状態となっており、一方、有底筒状部４は片方の矢印図柄２７ｂを隠蔽した状態となっている。この結果、回転ストッパ部材２の取り付け面には、円弧図柄２６と矢印図柄２７ａのみが現れて反時計回り方向の矢印が表示されることとなる。
次に、図１７に示すように、遊技盤１０を遊技枠１にセットした後、回転ストッパ部材２を閉位置まで回動させるが、回転ストッパ部材２の取り付け面には、円弧図柄２６と矢印図柄２７ａにより反時計回り方向の矢印が表示されているので、作業者はこれを指標にして回転ストッパ部材２を所定の位置まで回動すればよい。
【００２６】
図１８は、回転ストッパ部材２が閉位置にある状態を示している。この状態では、突部９は遊技盤１０上に出っ張った状態となって遊技盤１０を固定している。一方、有底筒状部４は片方の矢印図柄２７ａを隠蔽した状態となっている。この結果、回転ストッパ部材２の取り付け面には、円弧図柄２６と矢印図柄２７ｂのみが現れて時計回り方向の矢印が表示されることとなる。
その後、遊技盤１０を交換等する場合は、回転ストッパ部材２を開位置まで回動させればよいが、この場合、回転ストッパ部材２の取り付け面には、円弧図柄２６と矢印図柄２７ｂにより時計回り方向の矢印が表示されているので、作業者はこれを指標にして回転ストッパ部材２を所定の位置まで回動すればよい。
このように、回転ストッパ部材２の取り付け面には常に回転ストッパ部材２の次の回動方向が表示されこととなるので、作業者はこの矢印を指標に操作すれば回転ストッパ部材２を常に正しい方向に回転できることとなり、作業性を向上できる。
【００２７】
以上に説明したように、本発明によれば、ボールプランジャ機能を備えたストッパ機構を容易に組付けることが可能となる。このため組付けに熟練を必要とせず、またボールプランジャ機能により遊技盤１０を確実に固定することができる。また請求項２の発明によれば、組付け後にボールプランジャの機能が失われるトラブルを防止することができる。さらに、請求項３の発明によれば、回転ストッパ部材を常に正しい方向に回転させることができて遊技盤の交換作業を短時間で行うことができる。
【符号の説明】
【００２８】
１  遊技枠
２  回転ストッパ部材
３  支持軸
４  有底筒状部
５  ボール
６  スプリング
７  凹部
８  孔
９  突部
１０  遊技盤
１１  ナット
１２  支持部
２０  挿入筒
２１  ねじ孔
２２  治具
２３  先端部
２４  ねじ
２５  矢印図柄
２６  円弧図柄
27ａ  矢印図柄
27ｂ  矢印図柄
【図１】
2013056140.tif 000003
【図２】
2013056140.tif 000004
【図３】
2013056140.tif 000005
【図４】
2013056140.tif 000006
【図５】
2013056140.tif 000007
【図６】
2013056140.tif 000008
【図７】
2013056140.tif 000009
【図８】
2013056140.tif 000010
【図９】
2013056140.tif 000011
【図１０】
2013056140.tif 000012
【図１１】
2013056140.tif 000013
【図１２】
2013056140.tif 000014
【図１３】
2013056140.tif 000015
【図１４】
2013056140.tif 000016
【図１５】
2013056140.tif 000017
【図１６】
2013056140.tif 000018
【図１７】
2013056140.tif 000019
【図１８】
2013056140.tif 000020